(57)【要約】【課題】本発明は、ディスペンサの利用状況に適切に対応して洗浄を実施でき、乾燥したジュース類がドレンパンに固着することをより確実に防止できるディスペンサを提供することを目的とするものである。【解決手段】本発明によるディスペンサでは、ドレンパン６に設けられた洗浄水吐出口７と外部水道系２とが洗浄水供給路６０によって接続されている。この洗浄水供給路６０には、ドレンパン６に洗浄水を供給するか否かを制御するための洗浄給水弁６０ａが設けられている。制御手段７０の洗浄制御部は、氷片の放出の制御を行う放出制御部からの放出情報に基づいて、氷片の放出回数が所定の設定回数に達したか否かを判定し、放出回数が設定回数に達したと判定した場合に、洗浄給水弁６０ａを開弁して洗浄動作を行う。【選択図】図１
2010132314.tif 000002
【特許請求の範囲】
【請求項１】
飲料及び氷片の少なくとも一方を含む供給物を放出口から放出するとともに、前記放出口の下方に配置されたドレンパンで前記供給物を受けることができるように構成されているディスペンサにおいて、
前記供給物の放出を制御する放出制御部と、
前記ドレンパンに設けられた洗浄水吐出口と、
前記洗浄水吐出口に接続された洗浄水供給路と、
前記洗浄水供給路に設けられた洗浄給水弁と、
前記洗浄給水弁に接続され、前記洗浄給水弁を開弁することで、前記洗浄水供給路及び前記洗浄水吐出口を通して前記ドレンパンに洗浄水を供給する洗浄動作を行う洗浄制御部と
を備え、
前記洗浄制御部は、前記供給物の放出回数が所定の設定回数に達したか否かを前記放出制御部からの情報に基づいて判定し、前記放出回数が前記設定回数に達したと判定した場合に前記洗浄動作を行うことを特徴とするディスペンサ。
【請求項２】
前記洗浄制御部は、前記放出回数が前記設定回数に達したと判定した時から所定の待機時間が経過した後に前記洗浄動作を行うことを特徴とする請求項１記載のディスペンサ。
【請求項３】
少なくとも氷片を含む供給物を放出口から放出するとともに、前記放出口の下方に配置されたドレンパンで前記供給物を受けることができるように構成されているディスペンサにおいて、
前記氷片の生成を制御する生成制御部と、
前記生成制御部に接続され、前記生成制御部の制御に応じて、前記氷片の生成に使用される製氷水を製氷水タンクに供給するか否かを切り替える主給水弁と、
前記ドレンパンに設けられた洗浄水吐出口と、
前記洗浄水吐出口に接続された洗浄水供給路と、
前記洗浄水供給路に設けられた洗浄給水弁と、
前記洗浄給水弁に接続され、前記洗浄給水弁を開弁することで、前記洗浄水供給路及び前記洗浄水吐出口を通して前記ドレンパンに洗浄水を供給する洗浄動作を行う洗浄制御部と
を備え、
前記洗浄制御部は、前記製氷水タンクへの給水回数が所定の設定回数に達したか否かを前記生成制御部からの情報に基づいて判定し、前記給水回数が前記設定回数に達したと判定した場合に前記洗浄動作を行うことを特徴とするディスペンサ。
【請求項４】
前記洗浄制御部に接続され、前記洗浄制御部に頻度設定情報を入力する頻度設定部をさらに備え、
前記洗浄制御部は、前記頻度設定部からの頻度設定情報に基づいて前記設定回数を増減させることを特徴とする請求項１から請求項３までのいずれか１項に記載のディスペンサ。
【発明の詳細な説明】
【技術分野】
【０００１】
本発明は、氷片を放出口から放出するディスペンサに関するものである。
【背景技術】
【０００２】
一般に、従来用いられているこの種のディスペンサとしては、飲料ディスペンサとチップアイスディスペンサとが例として挙げられる。飲料ディスペンサは、例えば水、ジュース、及びスープ等の飲料を利用者の操作に応じて放出するものである。この飲料ディスペンサの構成としては、飲料のみを放出する構成、又は飲料とともに氷片を放出する構成が採用され得る。チップアイスディスペンサは、利用者の操作に応じて氷片を放出するものである。
このようなディスペンサは、例えばファミリーレストランやマンガ喫茶等のドリンクバーに利用される場合がある。ドリンクバーとは、店内のドリンクバーコーナにディスペンサを予め設置しておき、利用者がディスペンサを自由に操作できるようにすることで、利用者が自身の好む飲料を自由に選択できるようにしたサービスである。このようなドリンクバーでは、飲料とともに氷片を供給できる構成の飲料ディスペンサが単体で設置されたり、飲料のみを放出する構成の飲料ディスペンサとチップアイスディスペンサとが併設されたりする。
【０００３】
ディスペンサがドリンクバーに利用されると、ディスペンサのドレンパンに飲み残しのジュースやスープが捨てられることがある。ジュースやスープ等のジュース類がドレンパンに捨てられると、乾燥したジュース類がドレンパンに固着することがある。乾燥したジュース類がドレンパンに固着することを防止するためには、ドレンパンに何等かの洗浄水を供給することが考えられる。
【０００４】
ドレンパンに洗浄水を供給できるようにした構成としては、例えば下記の特許文献１に記載された装置が挙げられる。すなわち、従来のディスペンサでは、プレート式製氷機の製氷水タンクとドレンパンとを配管で接続し、プレート式製氷機の除氷サイクルが開始される毎に製氷水タンクの製氷水を洗浄水としてドレンパンに供給する。除氷サイクルとは、プレート式製氷機における製氷動作に含まれるサイクルであり、製氷板の裏側に製氷水を散布することで、製氷板の表側に形成された氷板を製氷板上から剥離させるサイクルである。
【０００５】
【特許文献１】実開昭６３−６３８８７号公報
【発明の開示】
【発明が解決しようとする課題】
【０００６】
上記のような従来のディスペンサでは、ドレンパンに洗浄水を供給するのが除氷サイクルの開始毎であるので、ディスペンサの利用状況に細かく対応できず、洗浄が不十分になることがある。すなわち、ディスペンサの設置環境によっては、ディスペンサの利用が有ったとしても除氷サイクルが１日中行われないこともあり、ドレンパンに乾燥したジュース類が固着することがある。
【０００７】
本発明は、上記のような課題を解決するためになされたものであり、その目的は、ディスペンサの利用状況に適切に対応して洗浄を実施でき、乾燥したジュース類がドレンパンに固着することをより適切に防止できるディスペンサを提供することである。
【課題を解決するための手段】
【０００８】
本発明に係るディスペンサは、氷片を放出口から放出するとともに、放出口の下方に配置されたドレンパンで氷片を受けることができるように構成されているディスペンサにおいて、氷片の放出を制御する放出制御部と、ドレンパンに設けられた洗浄水吐出口と、洗浄水吐出口に接続された洗浄水供給路と、洗浄水供給路に設けられた洗浄給水弁と、洗浄給水弁に接続され、洗浄給水弁を開弁することで、洗浄水供給路及び洗浄水吐出口を通してドレンパンに洗浄水を供給する洗浄動作を行う洗浄制御部とを備え、洗浄制御部は、氷片の放出回数が所定の設定回数に達したか否かを放出制御部からの情報に基づいて判定し、放出回数が設定回数に達したと判定した場合に洗浄動作を行う。
【０００９】
また、氷片を放出口から放出するとともに、放出口の下方に配置されたドレンパンで氷片を受けることができるように構成されているディスペンサにおいて、氷片の生成を制御する生成制御部と、生成制御部に接続され、生成制御部の制御に応じて、氷片の生成に使用される製氷水を製氷水タンクに供給するか否かを切り替える主給水弁と、ドレンパンに設けられた洗浄水吐出口と、洗浄水吐出口に接続された洗浄水供給路と、洗浄水供給路に設けられた洗浄給水弁と、洗浄給水弁に接続され、洗浄給水弁を開弁することで、洗浄水供給路及び洗浄水吐出口を通してドレンパンに洗浄水を供給する洗浄動作を行う洗浄制御部とを備え、洗浄制御部は、主給水弁の開弁回数が所定の設定回数に達したか否かを生成制御部からの情報に基づいて判定し、開弁回数が設定回数に達したと判定した場合に洗浄動作を行う。
【００１０】
また、洗浄制御部は、放出回数が設定回数に達したと判定した時から所定の待機時間が経過した後に、洗浄動作を行う。
さらに、洗浄制御部に接続され、洗浄制御部に頻度設定情報を入力する頻度設定部をさらに備え、洗浄制御部は、頻度設定部からの頻度設定情報に基づいて設定回数を増減させる。
【発明の効果】
【００１１】
本発明のディスペンサによれば、洗浄制御部は、氷片の放出回数が所定の設定回数に達したか否かを放出制御部からの情報に基づいて判定し、放出回数が設定回数に達したと判定した場合に洗浄動作を行うので、ディスペンサの利用状況に細かく対応して洗浄を実施できる。すなわち、ディスペンサの利用状況に適切に対応して洗浄を実施でき、乾燥したジュース類がドレンパンに固着することをより適切に防止できる。
【発明を実施するための最良の形態】
【００１２】
以下、本発明を実施するための最良の形態について、図面を参照して説明する。
実施の形態１．
図１は、本発明の実施の形態１によるチップアイスディスペンサの断面図であり、図２は、図１のチップアイスディスペンサを示す正面図である。図１において、筐体１の内部には、製氷水タンク１０、冷凍回路２０、オーガ式製氷機３０、貯氷室４０、アジテータ５０、洗浄水供給路６０、及び制御手段７０が格納されている。
【００１３】
製氷水タンク１０には、主給水管１１、オーバーフロー排水管１２、及び製氷水給水管１３が接続されている。また、製氷水タンク１０には、フロートセンサ１４と、オーバフローパイプ１５とが設けられている。製氷水タンク１０の上部は、主給水管１１を介して外部水道系２に接続されている。主給水管１１には、製氷水タンク１０に製氷水を供給するか否かを制御するための主給水弁１１ａが設けられている。すなわち、主給水弁１１ａが開弁されると、外部水道系２からの水道水が製氷水タンク１０に製氷水として供給される。
【００１４】
フロートセンサ１４は、製氷水タンク１０内の製氷水に浮かぶ図示しないフロートを有しており、製氷水タンク１０内の製氷水の水位を検出するものである。すなわち、フロートセンサ１４は、製氷水の水位が所定の上側水位に達したか否かを検出するとともに、製氷水の水位が所定の下側水位に達したか否かを検出する。フロートセンサ１４は、出力信号を制御手段７０に入力する。後に詳しく説明するが、制御手段７０は、フロートセンサ１４の出力信号に基づいて主給水弁１１ａの開閉を制御する。
【００１５】
オーバフローパイプ１５は、その上端が上側水位よりも上方に位置するように、製氷水タンク１０に取り付けられている。すなわち、オーバフローパイプ１５は、製氷水の水位が上側水位より高くなった際に、上側水位よりも高くなった分の製氷水を製氷水タンク１０の外に排出するためのものである。オーバフローパイプ１５の下端は、オーバーフロー排水管１２を介して外部排水系３に接続されている。オーバフローパイプ１５から排出された製氷水は、オーバーフロー排水管１２を通って外部排水系３に排出される。
【００１６】
製氷水給水管１３は、製氷水タンク１０の下部とオーガ式製氷機３０とを接続している。この製氷水給水管１３は、製氷水タンク１０の製氷水をオーガ式製氷機３０に供給するためのものである。
【００１７】
冷凍回路２０には、冷却パイプ２１、圧縮機２２、凝縮器２３、及び膨張弁２４が設けられている。後に説明するが、冷却パイプ２１は、オーガ式製氷機３０に組み付けられている。この冷却パイプ２１には冷媒が通されており、冷媒が気化されることで、オーガ式製氷機３０の製氷水が冷却される。すなわち、冷却パイプ２１は、冷凍回路２０の蒸発器である。圧縮機２２は、冷却パイプ２１に接続されており、冷却パイプ２１で気化された冷媒を圧縮する。圧縮機２２は、高温冷媒通路２２ａを介して凝縮器２３に接続されている。この高温冷媒通路２２ａには、高温の冷媒が通過される。凝縮器２３は、圧縮機２２で圧縮された冷媒を空冷又は水冷によって冷却し凝縮（液化）する。膨張弁２４は、凝縮器２３に接続されており、凝縮器２３で凝縮された冷媒を減圧するためのものである。
【００１８】
オーガ式製氷機３０には、冷凍ケーシング３１、オーガ３２、駆動手段３３、固定刃３４、及びカッタ体３５が設けられている。
【００１９】
冷凍ケーシング３１は、全体として円筒状に設けられている。この冷凍ケーシング３１には、冷凍回路２０の冷却パイプ２１が埋設されている。
オーガ３２は、冷凍ケーシング３１内に挿通された長手状の部材であり、冷凍ケーシング３１の上部及び下部に配置された一対の軸受けによって回転可能に支持されている。このオーガ３２の外周には、オーガ３２の軸方向に沿って螺旋刃３２ａが設けられている。
駆動手段３３は、オーガ３２に接続されたギアードモータであり、オーガ３２を回転駆動するものである。なお、駆動手段３３はギア部３３ａとモータ部とから構成されるが、図１では、オーガ３２の下部に設けられたギア部３３ａのみを簡略的に示している。
固定刃３４は、冷凍ケーシング３１の上部に固定されている。詳しくは説明しないが、固定刃３４には、オーガ３２の上端部が挿通された挿通孔と、オーガ３２の軸方向に沿って延びる複数の氷圧縮通路とが設けられている。
オーガ３２の上端部は、貯氷室４０内に位置している。このオーガ３２の上端部には、ネジが切られており、カッタ体３５が螺着されている。カッタ体３５は、オーガ３２の軸方向に沿って見た時に、各氷圧縮通路の少なくとも一部の領域に重複されて配置されている。
【００２０】
冷凍ケーシング３１の下部には、製氷水タンク１０からの製氷水給水管１３と、製氷水排出管３６とが接続されている。製氷水排出管３６は、冷凍ケーシング３１の下部と外部排水系３とを接続している。この製氷水排出管３６には、製氷水を排出するか否かを制御するための製氷水排出弁３６ａが設けられている。すなわち、製氷水排出弁３６ａが閉弁された状態では、製氷水タンク１０内の製氷水の水位と同じ高さの水位になるまで、冷凍ケーシング３１の内側に製氷水が供給される。また、製氷水排出弁３６ａが開弁された状態では、冷凍ケーシング３１内の製氷水が、製氷水タンク１０内の製氷水とともに外部排水系３に排出される。
【００２１】
冷凍ケーシング３１内に製氷水が溜められた状態で冷却パイプ２１に冷媒が通されると、冷媒によって製氷水が冷却される。これにより、冷凍ケーシング３１の内壁に氷が形成される。内壁に形成された氷は、回転駆動されたオーガ３２の螺旋刃３２ａによって、削り取られるとともに、上方に移送される。上方に移送された氷は、氷圧縮通路で圧縮されて、柱状の氷として固定刃３４の上部から送り出される。固定刃３４の上部から送り出された柱状の氷は、上方に送り出されながらカッタ体３５の下部に当接されて、所定長さ毎に切断される。所定長さ毎に切断された氷は、氷片（チップアイス）として貯氷室４０内に貯められる。
【００２２】
貯氷室４０内には、カッタ体３５の上部に固定された複数本の棒部材からなるアジテータ５０が配置されている。アジテータ５０は、オーガ３２とともに回転駆動されて、貯氷室４０内に貯められた氷片を撹拌する。貯氷室４０の上部には、貯氷室４０内の氷片が満氷量であるか否かを検出する貯氷センサ４１が設けられている。
【００２３】
貯氷室４０の側壁上部には、ソレノイドアクチュエータ４２が取り付けられている。ソレノイドアクチュエータ４２のプランジャ４２ａには、リンク部材４３を介して、板状のシャッタ４４が接続されている。シャッタ４４は、貯氷室４０の側壁下部に設けられた氷吐出口を開閉する。すなわち、図１のようにプランジャ４２ａが下方へ突出されている状態では、シャッタ４４は、氷吐出口を覆うように貯氷室４０の側壁に押しつけられている。これに対して、プランジャ４２ａが上方へと変位されると、シャッタ４４は、プランジャ４２ａの上方への変位が伝えられることにより、貯氷室４０の側壁から離れながら上方に変位される。
【００２４】
筐体１の前部には、貯氷室４０の氷吐出口に連通されるとともに下方に向けて開口された放出口４が設けられている。また、図１及び図２に示すように、筐体１の前部には、利用者によって操作されるレバー５が取り付けられている。図示はしないが、レバー５には、このレバー５の回動を検出するための電磁スイッチが内蔵されている。例えば利用者がカップをレバー５に押しつける等して、レバー５が回動されると、制御手段７０は、氷吐出口を開くようにソレノイドアクチュエータ４２の駆動制御を行う。氷吐出口が開かれると、貯氷室４０内の氷片は、放出口４を通って筐体１の外に放出される。
【００２５】
図１及び図２に示すように、放出口４の下方には、ドレンパン６が配置されている。すなわち、利用者が受け損なう等した氷片をドレンパン６で受けることができるように構成されている。このドレンパン６の底部６ａには、外部排水系３が接続されている。すなわち、氷片が溶けることで発生した水を外部排水系３に排出できるように構成されている。
【００２６】
なお、この実施の形態のチップアイスディスペンサが例えばファミリーレストラン等のドリンクバーで使用される場合、このチップアイスディスペンサの近傍には、例えば水、ジュース、及びスープ等の飲料を放出する飲料ディスペンサが併設されることがある。例えば利用者が飲料の種類を変更するとき等には、チップアイスディスペンサのドレンパン６にジュースやスープ等のジュース類が捨てられることがある。
【００２７】
ドレンパン６の底部６ａから立設された側壁６ｂには、洗浄水吐出口７が設けられている。この洗浄水吐出口７には、洗浄水供給路６０を介して外部水道系２が接続されている。すなわち、洗浄水供給路６０は、外部水道系２からの水道水を洗浄水としてドレンパン６に供給するためのものである。また、洗浄水供給路６０は、圧縮機２２と凝縮器２３との間の高温冷媒通路２２ａに沿って配設されている。つまり、洗浄水供給路６０は高温冷媒通路２２ａに接触されており、洗浄水供給路６０内の洗浄水は高温冷媒通路２２ａの冷媒と熱交換される。すなわち、ドレンパン６には、冷媒と熱交換された洗浄水が供給される。
【００２８】
また、洗浄水供給路６０は、主給水弁１１ａよりも上流で外部水道系２に接続されている。すなわち、洗浄水供給路６０には、主給水弁１１ａの開閉に関わらず洗浄水が供給される。また、洗浄水供給路６０には、ドレンパン６に洗浄水を供給するか否かを制御するための洗浄給水弁６０ａが設けられている。洗浄給水弁６０ａは、洗浄水供給路６０が高温冷媒通路２２ａに接触されている位置よりも上流側に配置されている。これは、熱交換された洗浄水の熱に接することでの洗浄給水弁６０ａの劣化を低減するためである。
【００２９】
制御手段７０は、筐体１の前面パネル１ａの裏側に取り付けられている。また、図２に示すように、前面パネル１ａの表側には、利用者によって操作されるスイッチからなる操作部８が設けられている。操作部８は、制御手段７０に所定の信号を入力するためのものである。なお、具体的には説明しないが、周知のように前面パネル１ａはドア体を構成している。制御手段７０は、プログラム等の情報を記憶する記憶部（ＲＡＭ及びＲＯＭ）と演算処理を行う演算処理部（ＣＰＵ）とを有するコンピュータ、又はリレー回路によって構成される。後に説明するが、制御手段７０は、入力される信号に基づいて、製氷水排出弁３６ａ、主給水弁１１ａ、冷凍回路２０、駆動手段３３、ソレノイドアクチュエータ４２、及び洗浄給水弁６０ａの動作を制御する。
【００３０】
次に、図３は、図１のドレンパン６を示す斜視図であり、チップアイスディスペンサの正面からドレンパン６を見下ろした状態を示している。図において、ドレンパン６の底部６ａには、外部排水系３に連通された排水口９が設けられている。洗浄水吐出口７は、ドレンパン６の幅方向６ｗに沿って延在された後方の側壁６ｂに設けられている。また、洗浄水吐出口７は、ドレンパン６の幅方向６ｗに関して、排水口９と逆側の位置に配置されている。すなわち、図３のようにディスペンサの正面から見た時に、排水口９が右側に配置されている場合には、洗浄水吐出口７は左側に配置される。これにより、洗浄水が、排水口９に直に流れ込まずに、底部６ａのより広い領域を洗浄した上で排水口９に流れ込むようにされている。
【００３１】
次に、図４は、図１の制御手段７０を示すブロック図である。図において、制御手段７０には、氷片の生成を制御する生成制御部７１と、氷片の放出を制御する放出制御部７２と、洗浄動作を行う洗浄制御部７３とが設けられている。
【００３２】
生成制御部７１は、製氷水タンク１０内の製氷水の水位が下側水位に達していないことがフロートセンサ１４によって検出された場合に、製氷水排出弁３６ａを閉弁するとともに主給水弁１１ａを開弁し、製氷水タンク１０及び冷凍ケーシング３１に製氷水を供給する。従って、製氷水タンク１０への給水は、製氷水タンク１０内の製氷水の水位が下がった場合、すなわち製氷水から氷片が生成された場合に行われる。また、生成制御部７１は、製氷水タンク１０内の製氷水の水位が上側水位に達したことがフロートセンサ１４によって検出された場合に、主給水弁１１ａを閉弁し、製氷水タンク１０及び冷凍ケーシング３１への製氷水の供給を停止する。
【００３３】
また、生成制御部７１は、貯氷室４０内の氷片の量が満氷量に達していないことが貯氷センサ４１によって検出された場合に、冷凍回路２０を駆動するとともに、オーガ式製氷機３０の駆動手段３３を駆動して、冷凍回路２０及びオーガ式製氷機３０による氷片の生成動作を実施する。また、生成制御部７１は、貯氷室４０内の氷片の量が満氷量に達したことが貯氷センサ４１によって検出された場合に、冷凍回路２０及び駆動手段３３の駆動を停止して、氷片の生成動作を停止する。さらに、生成制御部７１は、氷片の生成動作を停止した後に計時を開始して、所定の時間間隔で駆動手段３３を駆動することで、アジテータ５０による氷片の撹拌動作を実施する。
【００３４】
また、生成制御部７１は、製氷水タンク１０及び冷凍ケーシング３１に製氷水を供給してからの経過時間が所定時間に達した場合、及び操作部８が操作された場合に、主給水弁１１ａを閉弁するとともに製氷水排出弁３６ａを開弁し、製氷水タンク１０内及び冷凍ケーシング３１内の製氷水を外部排水系３に排出する。これは、製氷水タンク１０及び冷凍ケーシング３１に溜められた製氷水の不純物濃度が高くなりすぎることを防止するための動作である。
【００３５】
放出制御部７２は、レバー５が回動されたことがレバー５の電磁スイッチによって検出された場合に、ソレノイドアクチュエータ４２のプランジャ４２ａを上方に変位させることで、シャッタ４４を変位させて、貯氷室４０の氷吐出口を開口させる。また、放出制御部７２は、プランジャ４２ａが上方に変位されている状態を所定時間維持した後に、プランジャ４２ａを下方に変位させて、シャッタ４４によって貯氷室４０の氷吐出口を閉じる。
【００３６】
洗浄制御部７３は、洗浄給水弁６０ａに接続されており、洗浄給水弁６０ａを開弁することで、ドレンパン６に洗浄水供給路６０及び洗浄水吐出口７を通して洗浄水を供給する洗浄動作を行うものである。また、洗浄制御部７３は、氷片の放出回数が所定の設定回数に達したか否かを放出制御部７２からの放出情報７２ａに基づいて判定し、放出回数が設定回数に達したと判定した場合に洗浄動作を行う。なお、放出情報７２ａは、氷片の放出が行われたことを示す情報である。
【００３７】
次に、図５は、図４の洗浄制御部７３が行う洗浄動作の実施判定動作を示すフローチャートである。図において、チップアイスディスペンサ全体の電源が投入されると、その電源投入に応じて、放出回数のカウントが開始される（ステップＳ１０）。すなわち、放出制御部７２からの放出情報７２ａが検出されるか否かの判定が繰り返し行われ、放出情報７２ａが検出される毎に放出回数が１ずつ加算される。
【００３８】
その次に、放出回数が例えば１０回等の所定の設定回数に達したか否かが判定され（ステップＳ１１）、放出回数が設定回数に達していないと判定されると、放出回数のカウントが継続される。これに対して、放出回数が設定回数に達したと判定された場合には、洗浄動作が実施される（ステップＳ１２〜Ｓ１４）。すなわち、ドレンパン６に洗浄水を供給するために洗浄給水弁６０ａが開弁され（ステップＳ１２）、所定の開弁設定時間が経過したか否かが判定され（ステップＳ１３）、開弁設定時間が経過したと判定された場合に洗浄給水弁６０ａが閉弁される（ステップＳ１４）。なお、この洗浄動作の実施判定動作は、チップアイスディスペンサ全体の電源が投入されている時に繰り返し行われる。
【００３９】
このようなディスペンサでは、洗浄制御部７３が、氷片の放出回数が所定の設定回数に達したか否かを放出制御部７２からの放出情報７２ａに基づいて判定し、放出回数が設定回数に達したと判定した場合に洗浄動作を行うので、ディスペンサの利用状況により細かく対応して洗浄を実施できる。すなわち、ディスペンサの利用が有ったとしても製氷動作が１日中行われず、製氷動作毎に洗浄動作を行うと洗浄が不十分であるような設置環境においても、適切な頻度で洗浄動作を実施できる。従って、ディスペンサの利用状況に適切に対応して洗浄を実施でき、乾燥したジュース類がドレンパンに固着することを適切に防止できる。
【００４０】
実施の形態２．
図６は、本発明の実施の形態２によるチップアイスディスペンサの洗浄制御部７３が行う洗浄動作の実施判定動作を示すフローチャートである。実施の形態１の構成では、放出回数が設定回数に達したと判定された際にすぐさま洗浄動作が行われるように説明したが、この実施の形態２の構成では、所定の待機時間だけ待機した後に洗浄動作が行われる。これは、氷片放出が行われた直後にドレンパン６にジュース類が捨てられるのではなく、利用者が席に戻ってから所定時間が経過し、飲料の種類を変える際にドレンパン６にジュース類が捨てられるとの考えに基づいている。
【００４１】
すなわち、図６に示すように、放出回数が所定の設定回数に達したか否かが判定される際に（ステップＳ１１）、放出回数が設定回数に達したと判定されると、放出回数が設定回数に達したと判定された時から例えば３０分等の所定の待機時間が経過したか否かが判定さる（ステップＳ２０）。そして、この判定時に、待機時間が経過したと判定された場合に、洗浄動作が実施される（ステップＳ１２〜Ｓ１４）。その他の動作は、実施の形態１と同様である。
【００４２】
このようなチップアイスディスペンサでは、洗浄制御部７３は、放出回数が設定回数に達したと判定した時から所定の待機時間が経過した後に洗浄動作を行うので、ドレンパン６にジュース類が捨てられた後と考えることができるタイミングで洗浄動作を実施でき、洗浄動作をより効果的に実施できる。
【００４３】
実施の形態３．
図７は、本発明の実施の形態３によるチップアイスディスペンサの制御手段８０を示すブロック図である。なお、実施の形態１と同一の構成には、同一の符号を付している。図において、この実施の形態３の制御手段８０には、実施の形態１の制御手段７０に比べて、頻度設定部８４が追加されている。頻度設定部８４は、洗浄制御部８３に頻度設定情報８４ａを入力する。洗浄制御部８３は、洗浄動作を行う頻度、すなわち洗浄動作を行うか否かを判定するために使用する設定回数を頻度設定情報８４ａに基づいて増減させる。
【００４４】
頻度設定部８４には、操作部８からの頻度変更信号８ａが入力される。頻度変更信号８ａは、利用者による操作部８の操作に応じて入力される信号である。頻度設定部８４は、設定回数を増やす頻度設定情報８４ａを出力するか、又は設定回数を減らす頻度設定情報８４ａを出力するかを、操作部８からの頻度変更信号８ａに基づいて決定する。すなわち、この実施の形態３のチップアイスディスペンサでは、洗浄頻度を利用者が任意に変更できるように構成されている。その他の構成は、実施の形態１の構成と同じである。
【００４５】
次に、図８は、図７の頻度設定部８４が行う頻度設定情報出力動作を示すフローチャートである。図において、操作部８からの頻度変更信号８ａが検出されると、洗浄頻度を高くする操作が利用者によって行われたか否かが頻度変更信号８ａに基づいて判定される（ステップＳ３０）。このとき、洗浄頻度を高くする操作が行われたと判定されると、設定回数を少なくする頻度設定情報８４ａが出力される（ステップＳ３１）。これに対して、洗浄頻度を低くする操作が行われたと判定されると、設定回数を高くする頻度設定情報８４ａが出力される（ステップＳ３２）。この頻度設定情報出力動作は、頻度変更信号８ａが検出される度に繰り返される。
【００４６】
次に、図９は、図７の洗浄制御部８３が行う洗浄動作の実施判定動作を示すフローチャートである。図において、チップアイスディスペンサ全体の電源が投入されると、その電源投入に応じて、その電源投入に応じて、放出回数のカウントが開始されるとともに（ステップＳ１０）、洗浄頻度の変更が行われたか否かが、頻度設定情報８４ａの入力有無に基づいて判定される（ステップＳ３３）。このとき、頻度設定情報８４ａの入力が有り洗浄頻度の変更が行われたと判定されると、設定回数が頻度設定情報８４ａに基づいて増減される（ステップＳ３４）。その他の動作は、実施の形態１と同様である。
【００４７】
このようなチップアイスディスペンサでは、洗浄制御部８３は、頻度設定部８４からの頻度設定情報８４ａに基づいて設定回数を増減させるので、設置環境に応じて適切な頻度で洗浄動作を実施でき、洗浄水の浪費を防止できる。すなわち、チップアイスディスペンサで使用する水道水の費用を低減でき、維持コストを低減できる。
【００４８】
なお、実施の形態３では、頻度設定部８４は、操作部８からの頻度変更信号８ａに基づいて頻度設定情報８４ａを出力するように説明したが、これに限定されず、頻度設定部は、例えばコントローラボード上のディップスイッチ等のスイッチ類の切り換えに基づいて頻度設定情報を出力してもよい。
【００４９】
また、実施の形態１〜３では、チップアイスディスペンサについての構成を説明したが、これに限定されず、ディスペンサは、飲料及び氷片の少なくとも一方を含む供給物を放出口から放出するものであればよい。すなわち、本願発明は、飲料のみを放出する構成の飲料ディスペンサ、又は飲料とともに氷片を放出する構成の飲料ディスペンサにも適用できる。
【００５０】
実施の形態４．
図１０は、本発明の実施の形態４によるチップアイスディスペンサの制御手段９０を示すブロック図である。なお、実施の形態１と同一の構成には、同一の符号を付している。実施の形態１では、洗浄制御部７３は、氷片の放出回数に基づいて洗浄動作の実施判定を行うように説明したが、この実施の形態４の洗浄制御部９３は、給水タンク１０（図１参照）への給水回数に基づいて洗浄動作の実施判定を行う。
【００５１】
図１０に示すように、洗浄制御部９３には、生成制御部９１からの給水情報９１ａが入力される。給水情報９１ａは、主給水弁１１ａが開弁されることで製氷水タンク１０に製氷水が供給されたことを示す情報である。洗浄制御部９３は、製氷水タンク１０への給水回数が所定の設定回数に達したか否かを生成制御部９１からの給水情報９１ａに基づいて判定し、給水回数が設定回数に達したと判定した場合に洗浄動作を行う。その他の構成は、実施の形態１と同様である。
【００５２】
次に、図１１は、図１０の洗浄制御部９３が行う洗浄動作の実施判定動作を示すフローチャートである。図において、チップアイスディスペンサ全体の電源が投入されると、その電源投入に応じて、給水回数のカウントが開始される（ステップＳ４０）。すなわち、生成制御部９１からの給水情報９１ａが検出されるか否かの判定が繰り返し行われ、給水情報９１ａが検出される毎に給水回数が１ずつ加算される。
【００５３】
その次に、給水回数が例えば５回等の所定の設定回数に達したか否かが判定され（ステップＳ４１）、給水回数が設定回数に達していないと判定されると、給水回数のカウントが継続される。これに対して、給水回数が設定回数に達したと判定された場合には、洗浄動作が実施される（ステップＳ１２〜Ｓ１４）。その他の構成は、実施の形態１と同様である。
【００５４】
このようなディスペンサでは、洗浄制御部９３が、製氷水タンク１０への給水回数が所定の設定回数に達したか否かを生成制御部９１からの給水情報９１ａに基づいて判定し、給水回数が設定回数に達したと判定した場合に洗浄動作を行うので、ディスペンサの利用状況に適切に対応して洗浄を実施できる。すなわち、ディスペンサの利用が多く、製氷動作が頻繁に行われる設置環境においては、製氷動作が複数回行われる毎に洗浄動作を実施しても、洗浄効果を十分に得ることができる場合がある。このような場合、実施の形態４の構成を採ることで、不必要に洗浄動作が実施されることを防止でき、洗浄水の浪費を防止できる。
【００５５】
なお、実施の形態４では、洗浄動作の実施判定に使用される設定回数が固定されているように説明しているが、実施の形態３の構成と同様に頻度設定部を設け、設定回数を増減してもよい。
【００５６】
また、実施の形態４では、チップアイスディスペンサについての構成を説明したが、これに限定されず、製氷水タンクへの給水回数に応じて洗浄動作を行う構成のディスペンサは、少なくとも氷片を含む供給物を放出口から放出するものであればよい。すなわち、製氷水タンクへの給水回数に応じて洗浄動作を行う構成のディスペンサは、飲料とともに氷片を供給する構成の飲料ディスペンサにも適用できる。
【図面の簡単な説明】
【００５７】
【図１】本発明の実施の形態１によるチップアイスディスペンサの断面図である。
【図２】図１のチップアイスディスペンサを示す正面図である。
【図３】図１のドレンパンを示す斜視図である。
【図４】図１の制御手段を示すブロック図である。
【図５】図４の洗浄制御部が行う洗浄動作の実施判定動作を示すフローチャートである。
【図６】本発明の実施の形態２によるチップアイスディスペンサの洗浄制御部が行う洗浄動作の実施判定動作を示すフローチャートである。
【図７】本発明の実施の形態３によるチップアイスディスペンサの制御手段を示すブロック図である。
【図８】図７の頻度設定部が行う頻度設定情報出力動作を示すフローチャートである。
【図９】図７の洗浄制御部が行う洗浄動作の実施判定動作を示すフローチャートである。
【図１０】本発明の実施の形態４によるチップアイスディスペンサの制御手段を示すブロック図である。
【図１１】図１０の洗浄制御部９３が行う洗浄動作の実施判定動作を示すフローチャートである。
【符号の説明】
【００５８】
４  放出口、６  ドレンパン、７  洗浄水吐出口、１０  製氷水タンク、１１ａ  主給水弁、６０  洗浄水供給路、６０ａ  洗浄給水弁、７１，９１  生成制御部、９１ａ  給水情報、７２  放出制御部、７２ａ  放出情報、７３，８３，９３  洗浄制御部、８４  頻度設定部、８４ａ  頻度設定情報。
【図１】
2010132314.tif 000003
【図２】
2010132314.tif 000004
【図３】
2010132314.tif 000005
【図４】
2010132314.tif 000006
【図５】
2010132314.tif 000007
【図６】
2010132314.tif 000008
【図７】
2010132314.tif 000009
【図８】
2010132314.tif 000010
【図９】
2010132314.tif 000011
【図１０】
2010132314.tif 000012
【図１１】
2010132314.tif 000013